(57)【要約】【課題】飲食店では子供に退屈させず、また大人に対しては話題を提供できるコースターとして使用することが可能な装飾効果に優れた発光プレートを提供する。【解決手段】発光プレート１は、上面が透光性を有する中空の板状体２の内部にプリント配線基板３が装填されている。プリント配線基板３上に光が板状体２の上面に向けて投射されるように複数の発光ダイオード４Ｒ，４Ｇ，４Ｂが配置されている。板状体２の内部には電池５が交換が可能な状態で配置される。電池５による各発光ダイオード４Ｒ，４Ｇ，４Ｂへの通電回路中にはリードスイッチより成る電源スイッチ６が介装される。【選択図】図２
2005270497.tif 000002
【特許請求の範囲】
【請求項１】
少なくとも上面の一部または全部が透光性を有する中空の板状体と、板状体の内部に装填されるプリント配線基板と、プリント配線基板上に光が板状体の上面に向けて投射されるように配置される複数の発光ダイオードと、板状体の内部に交換が可能な状態で配置される電池と、電池による各発光ダイオードへの通電回路中に介装される電源スイッチとを備えて成る発光プレート。
【請求項２】
前記板状体は、上面にプリント配線基板を支持する支持基板と、プリント配線基板の上方に被せられる取外し可能なシリコンゴム製のカバーと、カバーの下面に当てられる補強基板とで構成され、前記カバーは厚みを有する外周壁の下端縁が支持基板の外周縁に気密状態で嵌合されている請求項１に記載された発光プレート。
【請求項３】
前記電源スイッチは、板状体の内部に配備されるリードスイッチであり、板状体の外部より内部へ作用する磁界に感応してオン動作する請求項１に記載された発光プレート。
【請求項４】
前記発光ダイオードは、発光色が異なる複数種の発光ダイオードより成り、各発光ダイオードをプリント配線基板に形成された点灯回路によって一斉に点灯動作させる請求項１に記載された発光プレート。
【請求項５】
前記発光ダイオードは、発光色の異なる複数種の発光ダイオードより成り、各発光ダイオードをプリント配線基板に形成された点灯回路によって発光色毎に順次点灯させる請求項１に記載された発光プレート。
【発明の詳細な説明】
【技術分野】
【０００１】
この発明は、コースターに用いられる発光プレートに関し、さらに、コースター以外に装飾などの用途にも用いることができる発光プレートに関する。
【背景技術】
【０００２】
コースターは、ガラスコップなどの下敷きであり、ガラスコップに付着した水滴によってテーブルの表面が濡れるのを防止する。従来のコースターは、ガラス、合成樹脂、木材など、種々の材料により製作され、その形状や表面の模様などに意匠が施されている。なお、この発明は、先行技術調査を行うことなく、上記した公知または公用の技術をもとに開発されたものであり、記載すべき先行技術文献情報は存在しない。
【発明の開示】
【発明が解決しようとする課題】
【０００３】
従来のコースターは、種々の意匠が施され、装飾的な工夫がなされているが、その装飾は動的なものではなく、おもしろみに欠け、また、気分をリラックスさせるなどの心理的作用もない。ところで飲食店では、子供が退屈しないように動物や乗り物を象った食器を用いるなど、種々のサービスを提供しているが、そのようなものでは、子供の興味を強く引いたり、好奇心を長く持続させたりすることが困難であり、子供はすぐに退屈してしまう。また、大人の客に対しても、話題を提供するなどの工夫が必要であるが、そのような工夫は十分になされていない。
【０００４】
この発明は、上記問題に着目してなされたもので、飲食店では子供に退屈させず、また大人に対しては話題を提供できるコースターとして使用することが可能な優れた装飾効果と心理効果とが期待できる発光プレートを提供することを目的とする。
【課題を解決するための手段】
【０００５】
この発明による発光プレートは、少なくとも上面の一部または全部が透光性を有する中空の板状体と、板状体の内部に装填されるプリント配線基板と、プリント配線基板上に光が板状体の上面に向けて投射されるように配置される複数の発光ダイオードと、板状体の内部に交換が可能な状態で配置される電池と、電池による各発光ダイオードへの通電回路中に介装される電源スイッチとを備えたものである。
【０００６】
この発明による発光プレートは、主としてコースターに用いられるが、これに限られるものではない。この発明による発光プレートをテーブル上に置いたり、壁面や天井などに取り付けたりすると、電飾や照明として機能させることができる。また、置物の下敷きなど、コースター以外の敷物としても使用することも可能である。
【０００７】
好ましい一実施態様においては、前記板状体は、上面にプリント配線基板を支持する支持基板と、プリント配線基板の上方に被せられる取外し可能なシリコンゴム製のカバーと、カバーの下面に当てられる補強基板とで構成される。前記カバーは厚みを有する外周壁の下端縁が支持基板の外周縁に気密状態で嵌合されている。
この実施態様によると、カバーは柔軟かつ可撓性のあるシリコンゴム製であるので、カバーの上にガラスコップを置くと、ガラスコップの荷重を受けてカバーが変形し、ガラスコップを安定して支持できないが、カバーの下面に補強基板が当てられているので、カバーの変形が阻止され、ガラスコップは安定して支持される。
【０００８】
好ましい実施態様においては、前記電源スイッチは、板状体の内部に配備されるリードスイッチであり、板状体の外部より内部へ作用する磁界に感応してオン動作する。
この実施態様によると、電源スイッチは板状体の内部にあるので、ガラスコップに付着した水によって濡れるおそれがない。また、電源スイッチの設置位置に合わせて板状体の外面に永久磁石の取付部を設け、その取付部に永久磁石をセットすれば、電源スイッチをオン動作させることができる。また、ガラスコップの下面に永久磁石を組み込めば、板状体上にガラスコップを置くことにより電源スイッチをオン動作させることができる。
【０００９】
この発明の一実施態様においては、前記発光ダイオードは、発光色が異なる複数種の発光ダイオードより成り、各発光ダイオードをプリント配線基板に形成された点灯回路によって一斉に点灯動作させる。
また、この発明の他の実施態様においては、前記発光ダイオードは、発光色の異なる複数種の発光ダイオードより成り、各発光ダイオードをプリント配線基板に形成された点灯回路によって発光色毎に順次点灯させる。
なお、発光ダイオードは、必ずしも発光色の異なる複数種の発光ダイオードで構成する必要はなく、一種類の発光ダイオード（例えば赤色発光ダイオード）で構成してもよく、また、複数色の発光が可能な発光ダイオードをもって構成してもよい。
【００１０】
上記した構成において、電源スイッチがオン動作すると、電池より各発光ダイオードへの通電回路に電流が流れて発光ダイオードが点灯または点滅動作する。その光は板状体の上面に向けて投射され、板状体の上面の透光性を有する部分より外部へ出る。これにより板状体の表面は発光ダイオードの発光色によって光る。
【発明の効果】
【００１１】
この発明によると、意匠的なおもしろみのある装飾効果に優れたコースターを提供できる。また、発光ダイオードの点滅動作をゆっくり行うなど、点滅や点灯の方法を工夫することにより気分をリラックスさせるなどの優れた心理的効果が得られるコースターを提供できる。特に、飲食店でこれを用いた場合、子供の興味を強く引いて好奇心を長く持続でき、子供が退屈するのを防止できる。また、大人の客に対しても話題を提供でき、客サービスを向上できる。
【発明を実施するための最良の形態】
【００１２】
図１〜図３は、この発明の一実施例である発光プレート１の構成を示している。
図示例の発光プレート１は、全体が円盤状をなす中空の板状体２の内部に外形が円形のプリント配線基板３が装填されるとともに、そのプリント配線基板３上に、赤色に発光する発光ダイオード４Ｒと緑色に発光する発光ダイオード４Ｇと青色に発光する発光ダイオード４Ｂとが、それぞれ８個づつ光が板状体２の上面に向けて投射されるように配置されたものである。各発光色の発光ダイオード４Ｒ，４Ｇ，４Ｂは同心円ｒ１，ｒ２，ｒ３上に等角度毎に配置されている。この実施例では、赤色の発光ダイオード４Ｒが最も小径の同心円ｒ１上に、緑色の発光ダイオード４Ｇが次に小径の同心円ｒ２上に、青色の発光ダイオード４Ｂが最も大径の同心円ｒ３上に、それぞれ位置させている。
【００１３】
前記板状体２は、上面にプリント配線基板３を支持する合成樹脂製の支持基板２０と、プリント配線基板３の上方に被せられるカバー２２とを含んでいる。前記支持基板２０は上面に複数の円筒形状のスペーサ２１が中心部に４個、外周部に８個、それぞれ等角度位置に一体形成されている。スペーサ２１は、その高さがプリント配線基板３の厚みとプリント配線基板３上に実装される発光ダイオード４Ｒ，４Ｇ，４Ｂなどの部品の高さとを考慮して設定されており、プリント配線基板３に開設された貫通孔３２を貫通する。
【００１４】
前記カバー２２はシリコンゴムにより形成されており、全体が透光性を有し、柔軟かつ可撓性を有している。カバー２２は所定の厚みを有する外周壁２３を備えており、外周壁２３の下端部の内面に前記支持基板２０の外周縁が気密状態で嵌合される嵌合溝２４が形成されている。前記支持基板２０の外周縁とカバー２２の嵌合溝２４との嵌合は外れるようになっており、これによりカバー２２は支持基板２０に対して取外しが可能である。
カバー２２の下面には可撓性を有さない合成樹脂製の補強基板２５が押し当てられている。この補強基板２５は支持基板２０のスペーサ２１によって支持される。
カバー２２の下端縁は支持基板２０の下面より突出するので、その突出部分が滑止めとして機能する。
【００１５】
図４は、上記したシリコンゴム製のカバー２２に代えて可撓性を有していない合成樹脂製の透明なカバー２２ａを用いた実施例を示している。この実施例では、カバー２２ａはガラスコップの荷重を受けても変形しないので、補強基板２５に相当する構成が不要である。また、支持基板２０ａに前記したスペーサ２１を形成する必要がない。支持基板２０ａは外周縁が上方を向き、カバー２２ａの外周縁と嵌め合わされている。カバー２２ａは取外しが可能であり、従って、内部に組み込まれる電池５の交換が可能である。
【００１６】
前記プリント配線基板３はその中心部には円形の支持孔３０が形成されている。前記支持孔３０にはボタン型の電池５が嵌め込まれて支持され、その電池５に電極板５０が接触させている。プリント配線基板３の表面には電池５から各発光ダイオード４Ｒ，４Ｇ，４Ｂへ通電するための通電回路が印刷されている。その通電回路にはリードスイッチより成る電源スイッチ６が介装されている。電源スイッチ６はプリント配線基板３に形成された矩形状の窓孔３１に臨ませて取り付けられている。
【００１７】
前記電源スイッチ６として用いられているリードスイッチは外部からの磁界に感応したときにオン動作する。前記支持基板２０の裏面には電源スイッチ６の設置位置に対応させて板状または粒状の永久磁石７を取り付けるための第１の取付穴２６が凹設されている。また、前記支持基板２０には電源スイッチ６に磁界が作用しない位置に第２の取付穴２７が凹設されている。発光プレート１を使用しないときは第２の取付穴２７に、発光プレート１を使用するときは第１の取付穴２６に、それぞれ永久磁石７が嵌め込まれる。
【００１８】
図５は、プリント配線基板３に印刷される通電回路８を示している。同図中、４０Ｒは赤色発光の発光ダイオード４Ｒを複数個並列に接続して構成される赤色点灯回路、４０Ｇは緑色発光の発光ダイオード４Ｇを複数個並列に接続して構成される緑色点灯回路、４０Ｂは青色発光の発光ダイオード４Ｂを複数個並列に接続して構成される青色点灯回路をそれぞれ示している。各点灯回路４０Ｒ，４０Ｇ，４０Ｂは電源スイッチ６を介して電池５に並列接続されている。
【００１９】
上記した実施例では、全ての発光ダイオード４Ｒ，４Ｇ，４Ｂを一斉に点灯動作させるが、図６に示す実施例のように、発光色を選んで点灯動作させることも可能である。図６の実施例では、赤色、緑色、青色の各点灯回路４０Ｒ，４０Ｇ，４０Ｂ毎にリードスイッチより成る電源スイッチ６がそれぞれ設けてある。この実施例の場合、プリント配線基板３に電源スイッチ６を臨ませるための窓孔３１を３カ所形成し、板状体２の支持基板２０には、図３に点線で示すように、３個の電源スイッチ６の設置位置に対応させて永久磁石７を嵌め込むための第１の取付穴２６をそれぞれ設けている。
【００２０】
図７は、赤色発光の発光ダイオード４Ｒと緑色発光の発光ダイオード４Ｇと青色発光の発光ダイオード４Ｂとを順次点灯させるための制御回路９を示している。
この実施例の制御回路９は、プログラムされたコンピュータであり、制御、演算の主体であるＣＰＵ９０、プログラムや固定データが格納されるＲＯＭ９１、データの読み書きに供されるＲＡＭ９２などを含んでいる。前記赤色点灯回路４０Ｒ、緑色点灯回路４０Ｇ、および青色点灯回路４０Ｂはバス９３を介して制御回路９に接続されている。なお、制御回路９はＩＣ化されてプリント配線基板３に実装される。
【００２１】
図８は、赤色点灯回路４０Ｒ、緑色点灯回路４０Ｇ、および青色点灯回路４０Ｂへの通電を示すタイムチャートであり、各点灯回路４０Ｒ，４０Ｇ，４０Ｂに対して一定時間Ｔだけ順次通電し、それを繰り返すようにしている。なお、同図中、点線で示すように、各点灯回路４０Ｒ，４０Ｇ，４０Ｂへの通電がなだらかな山形となるように各発光ダイオード４Ｒ，４Ｇ，４Ｂをゆっくり点滅させることも可能である。
また、図示していないが、板状体２の内部にスピーカーを組み込み、制御回路９に音声ＲＯＭを含ませることにより、前記スピーカーから旋律を流すようにしてもよい。この場合に旋律に合わせて赤色、緑色、青色の各発光ダイオード４Ｒ，４Ｇ，４Ｂを適宜点灯または点滅動作させるとよい。
【００２２】
図９は、この発明による発光プレート１の応用例を示している。図示例では、ガラスコップＧの下面に永久磁石７が組み込まれており、発光プレート１上にそのガラスコップＧを置いたときリードスイッチより成る電源スイッチ６が感応してオン動作し、発光ダイオード４Ｒ，４Ｇ，４Ｂが一斉または順次点灯する。
【００２３】
図１０は、この発明による発光プレート１をコースター以外の用途に用いたもので、クリスマスツリーＸに発光プレート１が電飾のために取り付けられている。
【００２４】
上記した構成において、板状体２の支持基板２０に設けられた第１の取付穴２６に永久磁石７をセットして電源スイッチ６に外部からの磁界を作用させると、その外部磁界に感応して電源スイッチ６がオン動作し、赤色、緑色、青色の各点灯回路４０Ｒ，４０Ｇ，４０Ｂに通電されて発光ダイオード４Ｒ，４Ｇ，４Ｂが点灯または点滅動作する。その光は板状体２の上面に向けて投射され、板状体２のカバー２２より外部へ出るので、板状体２の上面は各発光ダイオード４Ｒ，４Ｇ，４Ｂの発光によって三色に光る。第１の取付穴２６より永久磁石板６を外すと、電源スイッチ６がオフ動作し、発光ダイオード４Ｒ，４Ｇ，４Ｂは消灯する。
【図面の簡単な説明】
【００２５】
【図１】この発明の一実施例である発光プレートの一部を破断した平面図である。
【図２】図１のＡ−Ａ線に沿う断面図である。
【図３】発光プレートの底面図である。
【図４】他の実施例の縦断面図である。
【図５】発光ダイオードの通電回路を示す電気回路図である。
【図６】通電回路の他の実施例を示す電気回路図である。
【図７】制御回路の具体例を示すブロック図である。
【図８】点灯動作を示すタイムチャートである。
【図９】発光プレートの応用例を示す斜視図である。
【図１０】発光プレートの他の用途を示す斜視図である。
【符号の説明】
【００２６】
１    発光プレート
２    板状体
３    プリント配線基板
４Ｒ，４Ｇ，４Ｂ  発光ダイオード
５    電池
６    電源スイッチ
８    通電回路
２０  支持基板
２２  カバー
２５  補強基板
【図１】
2005270497.tif 000003
【図２】
2005270497.tif 000004
【図３】
2005270497.tif 000005
【図４】
2005270497.tif 000006
【図５】
2005270497.tif 000007
【図６】
2005270497.tif 000008
【図７】
2005270497.tif 000009
【図８】
2005270497.tif 000010
【図９】
2005270497.tif 000011
【図１０】
2005270497.tif 000012